(57)【要約】      （修正有）【課題】プレート状の磁性体を挿脱可能に使用してビットを磁化すると共に用途としてビットアダプタに限定し、かつ狭路においてもネジの挿脱を可能としたビットアダプタ用マグキャッチを提供する。【解決手段】ビットアダプタ４は駆動軸５とビット３が挿入される磁性体６とが一体的に形成されている。よって、駆動軸５が回転される磁性体６及びビット３が回転する。磁性体６の部位にビットアダプタ用マグキャッチ１を磁着させるとその磁力（１ｋｇｆ）によりビット３自体が磁化される。これによりビット３にネジが磁着しネジの挿脱が容易に出来る。【選択図】図２
0003196029.tif 000002
【実用新案登録請求の範囲】
【請求項１】
ネジ廻し用のビットを挿着保持すると共に前記ビットの挿着部位が磁性体で形成されているビットアダプタの前記挿着部位に磁着して前記ビットを磁化する磁性体リングプレート（以下、マグキャッチと称す）であって、該マグキャッチは、中央に前記ビットの外周に挿入可能の中心孔を有する薄厚の強力ネオジウム磁性材のプレートからなることを特徴とするビットアダプタ用マグキャッチ。
【考案の詳細な説明】
【技術分野】
【０００１】  本考案は、ビットを保持する各種のアダプタに磁着されて前記ビットを磁化して取り付け又は取り外し用のネジと前記ビットとを磁着せしめて前記ネジの挿脱を容易にすると共に狭路等においてのネジの挿着が容易に出来るビットアダプタ用マグキャッチに関する。
【背景技術】
【０００２】  全体が磁化されているマグネットプレートやこれを用いた磁化装置等は従来より各種の公知技術があり、更にビットを磁化するようにしたドライバビットについても各種の公知技術があり、以下にその「特許文献」を示す。
【先行技術文献】
【特許文献】
【０００３】
【特許文献１】実開平５−４４１２号（図１）
【特許文献２】特開平９−９７５６６号（図１）
【特許文献３】特開２００４−１４１９８６号（図１）
【特許文献４】特開２００３−３１１６４１号（図１）
【特許文献５】特開平８−２２９８４０号（図１）
【考案の概要】
【考案が解決しようとする課題】
【０００４】  「特許文献１」の「実開平５−４４１２号」の「マグネットプレート」は、反転膜に磁着しているマグネットプレートの取り外しを容易にする技術を開示するものであり、マグネットプレートの形状や内容を明示するものでなく、かつこのマグネットプレートは前記のように反転膜に磁着しているものからなる。【０００５】  「特許文献２」の「特開平９−９７５６６号」の「マグネットフィルタ」は、プレート状のマグネットプレート（９）を用いたフィルタを開示するものであり、このマグネットプレート（９）の形状や内容を開示するものでなく、その用途もフィルタに限定してそのフィルタに混入した磁性粉を効率的に除去する技術を開示するものである。【０００６】  「特許文献３」の「特開２００４−１４１９６６号」の「工具用磁気保持装置」は、ビット（１８），（１９）を囲むカバー（１２），（１７）とビット（１８），（１９）との間にネオジウムマグネット（１１）を挿入してビット（１８），（１９）を磁化する技術を開示するものであり、ネオジウムマグネット（１１）はプレート状のものではなく、その用途もビットアダプタに使用するものではない。【０００７】  「特許文献４」の「特開２００３−３１１６４１号」の「ドライバービット用のネジ保持アタッチメント」とこれを装置した「ドライバービット」はプレート状の磁石（１２）を用いてはいるがその用途はドライバービット（１０）に限定しているものであり磁石（１２）は挿脱出来る形態のものではない。【０００８】  「特許文献５」の「特開平８−２２９８４０号」の「ビット」は、ビット本体部（２）のまわりに磁化材料（４）を挿入固定したものであり、この磁化材料（４）はプレート状のものでなく、挿脱出来るものでもなく用途としては、ビット本体部（２）に限定しているものである。【０００９】  前記のようにビットそのものを磁化する手段として磁性体を用いる技術は色々と開示されているがその磁性体の形状や内容について詳述するものでなく、この磁性体の使用対象は本考案のようにビットアダプタに限定して使用するものではない。
以上のように、プレート状の磁性体を挿脱可能に、かつビットアダプタに限定して使用している本考案の如き先行技術は出願人の調査によれば見当らない。【００１０】  本考案は、プレート状の磁性体を挿脱可能に使用してビットを磁化すると共に用途としてビットアダプタに限定し、かつ狭路においてもネジの挿脱を可能としたビットアダプタ用マグキャッチを提供することを目的とする。
【課題を解決するための手段】
【００１１】  本考案は、以上の目的を達成するために、請求項１の考案は、ネジ廻し用のビットを挿着保持すると共に前記ビットの挿着部位が磁性体で形成されているビットアダプタの前記挿着部位に磁着して前記ビットを磁化する磁性体リングプレート（以下、マグキャッチと称す）であって、該マグキャッチは、中央に前記ビットの外周に挿入可能の中心孔を有する薄厚の強力ネオジウム磁性材のプレートからなることを特徴とする。
【考案の効果】
【００１２】  本考案の請求項１のビットアダプタ用マグキャッチによれば、ビットの挿入されているビットアダプタのビット廻りの磁性体の部位にプレート状のマグキャッチを挿脱可能に磁着させることによりビットアダプタに挿入されているビットが簡単に、かつ確実に磁化されて対象物のネジをビットに確実に磁着させることが出来る。マグキャッチは薄厚のプレートからなり、全てのビットアダプタに簡単に磁着され、アダプタの形状を何等変更する必要もなく、狭路使用のアダプタに取り付けることにより狭路におけるネジの挿脱を容易に行うことが出来る。また、ビットの磁化が不必要の場合は何時でもマグキャッチを取り外すことが出来、磁化の不必要な用途に対して簡単に対応することが出来る。
【図面の簡単な説明】
【００１３】
【図１】本考案のマグキャッチの構造を示す平面図（ａ）及び（ａ）のＡ−Ａ線断面図（ｂ）。
【図２】本考案のマグキャッチを用いたビットアダプタの一例を示す側面図。
【図３】図２におけるビット及びマグキャッチの部分のみを示す拡大側面図。
【図４】ビットアダプタとこれに挿入するマグキャッチの挿入状態と、挿入された状態と、磁化されたビットに磁着するネジの状態を示す説明用側面図（ａ），（ｂ），（ｃ），（ｄ）。
【図５】本考案のマグキャッチの使用されているビットアダプタによる狭路における使用状態を示す写真。
【図６】本考案のマグキャッチの使用される各種のビットアダプタの幾つかのものを示す写真。
【考案を実施するための形態】
【００１４】  以下、本考案のビットアダプタ用マグキャッチの実施の形態を図面を用いて詳述する。
まず、図６により本考案のマグキャッチの使用される各種のビットアダプタを示す。これ等の正式の名称としてはビットアダプタでないものもあるが以下これ等を総称してビットアダプタと称呼する。
【実施例１】
【００１５】  図１（ａ），（ｂ）は本考案のビットアダプタ用マグキャッチ１を示すものである。本考案のビットアダプタ用マグキャッチ１はこの実施例１では丸型のものからなるが、丸型に限定するものではない。
図１（ａ）に示すように、このビットアダプタ用マグキャッチ１は丸型のリングプレート状のものからなり中央に中心孔２が形成されている。この中心孔２は本実施例では丸孔でビット３（図２，図３に示す）の外周に挿入可能のものであるがこれに限定するものでなく、例えば六角孔のものでもよい。また、ビットアダプタ用マグキャッチ１は図１（ｂ）に示すように、薄厚のものからなる。また、ビットアダプタ用マグキャッチ１は磁性体からなり、その磁力は１ｋｇｆのものからなるがそれ以上のものでも勿論よいがこの磁力で対象のネジをビット３で確実に磁着可能である。【００１６】  図２はこのビットアダプタ用マグキャッチ１の使用状態を示すものである。図２におけるビットアダプタ４は一般にＬ型アダプタと称されるものであり、その詳細構造の説明は省略するが駆動軸５とこれに連結されてビット３が挿設されている磁性体６とこれ等を支持又は被包する本体７等とから構成される。前記のようにビット３は磁性体６に挿脱可能に挿入又は挿入固定された状態で保持される。よってビット３と磁性体６は駆動軸５を回転することによって回転する。【００１７】  図２及び図３はビットアダプタ４にビットアダプタ用マグキャッチ１を挿設した状態を示すものである。前記のようにビットアダプタ用マグキャッチ１は磁性体でありビットアダプタ４の磁性体６は磁性を有するものであり、ビットアダプタ用マグキャッチ１は磁性体６に磁着する。前記のようにビット３は磁性体６に挿入されているものであり、１ｋｇｆの強力な磁力を有するビットアダプタ用マグキャッチ１によって磁化される。【００１８】  図４はビットアダプタ用マグキャッチ１の取り付け状態とネジ８の磁着状態を示すものである。図４（ａ）はビットアダプタ用マグキャッチ１が取り付けられる前の状態のビットアダプタ４を示す。ビット３は磁性体６に挿入されて保持されている。
図４（ｂ）はビットアダプタ４にビットアダプタ用マグキャッチ１を挿入する状態を示すものであり、図４（ｃ）は挿入された状況を示すものである。
以上の操作によりビット３は磁化されるため図４（ｄ）に示すようにネジ８はビット３に確実に磁着される。これによりビット３を回転することによりネジ８は同期して回転される。これにより、ネジ８の挿脱が容易に、かつ確実に行われる。【００１９】  以上の実施例はビットアダプタとしてＬ型アダプタにビットアダプタ用マグキャッチ１を磁着してビット３を磁化しネジ８の挿脱の容易化を図ったものであるがビットアダプタはＬ型アダプタによるものではなく、図６に示したものやその他のアダプタについても適用される。【００２０】  図５は狭路における使用例を示すものである。ビット３にネジ８が磁着するためネジ８の挿脱作業が容易に出来るためである。勿論、狭路使用に限定するものではない。【００２１】  本考案のビットアダプタ用マグキャッチは以上の説明の内容のものですが、勿論以上の内容に限定するものではなく、同一技術的範疇のものに適用される。
【産業上の利用可能性】
【００２２】  本考案のビットアダプタ用マグキャッチは以上の説明のようにビットを保持してビットを磁化出来る全てのビットアダプタに適用出来るものであり、その利用範囲は極めて広い。
【符号の説明】
【００２３】１  ビットアダプタ用マグキャッチ
２  中心孔
３  ビット
４  ビットアダプタ
５  駆動軸
６  磁性体
７  本体
８  ネジ
【図１】
0003196029.tif 000003
【図２】
0003196029.tif 000004
【図３】
0003196029.tif 000005
【図４】
0003196029.tif 000006
【図５】
0003196029.tif 000007
【図６】
0003196029.tif 000008